【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
表示手段と、
前記表示手段に光を照射する発光手段と、
入力画像信号に基づいて、前記発光手段の発光輝度を制御する制御手段と、
前記制御手段で制御された発光輝度と、所定の発光輝度とを用いて、前記入力画像信号に輝度補正処理を施し、輝度補正画像信号を生成する輝度補正手段と、
前記輝度補正画像信号に色補正処理を施し、色補正画像信号を生成する色補正手段と、を備え、
前記色補正手段は、前記入力画像信号に基づく画像の前記所定の発光輝度に対応する色である目標色と、前記色補正画像信号に基づく画像の前記制御された発光輝度に対応する色との差として、前記目標色と、前記輝度補正画像信号に基づく画像の前記制御された発光輝度に対応する色との差よりも小さい値が得られるように、前記色補正画像信号を生成する
ことを特徴とする表示装置。
【請求項２】
前記表示手段の各画素は、複数の原色に対応する複数のサブピクセルから構成され、
前記色補正手段は、前記輝度補正画像信号の前記各画素における前記複数の原色それぞれの階調値と、前記制御された発光輝度の前記所定の発光輝度に対する変化率とを用いて、前記色補正画像信号の前記各画素における前記複数の原色それぞれの階調値を算出することを特徴とする請求項１に記載の表示装置。
【請求項３】
前記色補正手段は、前記目標色と、前記色補正画像信号に基づく画像の前記制御された発光輝度に対応する色とが同じとなるように、前記色補正画像信号を生成する
ことを特徴とする請求項１または２に記載の表示装置。
【請求項４】
前記表示手段の各画素は、複数の原色に対応する複数のサブピクセルから構成され、
前記色補正手段は、前記輝度補正画像信号の前記各画素における前記複数の原色それぞれの階調値と、前記制御された発光輝度の前記所定の発光輝度に対する変化率とから決定される第１の変換マトリクス、及び、前記各画素における目標色を用いて、前記色補正画像信号を生成する
ことを特徴とする請求項３に記載の表示装置。
【請求項５】
前記複数の原色それぞれについて、階調値と、当該階調値に基づいて画像を表示した前記表示手段に対して、前記所定の発光輝度で前記発光手段を点灯させた場合における前記表示手段上の色の測定値との対応関係を記憶する記憶手段を更に備える
ことを特徴とする請求項４に記載の表示装置。
【請求項６】
前記色補正手段は、前記入力画像信号の前記各画素における前記複数の原色それぞれの階調値に対応する前記測定値を前記記憶手段から取得し、取得した前記測定値を合成することにより、前記目標色を表す値を算出する
ことを特徴とする請求項５に記載の表示装置。
【請求項７】
前記色補正手段は、前記輝度補正画像信号の前記各画素における前記複数の原色それぞれの階調値に対応する前記測定値を前記記憶手段から取得し、取得した前記測定値に前記変化率を乗算した値を成分とする第２の変換マトリクスを作成し、
前記第２の変換マトリクスの逆行列を前記第１の変換マトリクスとして用いる
ことを特徴とする請求項５または６に記載の表示装置。
【請求項８】
前記色補正処理を実行するか否かを選択する選択手段を更に備える
ことを特徴とする請求項１乃至請求項７のいずれか１項に記載の表示装置。
【請求項９】
前記選択手段は、ユーザ操作に応じて前記色補正処理を実行するか否かを選択する
ことを特徴とする請求項８に記載の表示装置。
【請求項１０】
前記選択手段は、前記入力画像信号の彩度が閾値より大きい場合に、前記色補正処理を実行しないことを選択する
ことを特徴とする請求項８に記載の表示装置。
【請求項１１】
前記選択手段は、前記入力画像信号が特定の色の画素を有する場合に、少なくとも当該画素について、前記色補正処理を実行しないことを選択する
ことを特徴とする請求項８に記載の表示装置。
【請求項１２】
前記選択手段は、前記入力画像信号が特定の物体の画素を有する場合に、少なくとも当該画素について、前記色補正処理を実行しないことを選択する
ことを特徴とする請求項８に記載の表示装置。
【請求項１３】
前記表示手段は、液晶パネルであり、
前記発光手段は、バックライトである
ことを特徴とする請求項１乃至請求項１２のいずれか１項に記載の表示装置。
【請求項１４】
前記発光手段は、複数の領域それぞれにおいて発光輝度を個別に制御可能であり、
前記輝度補正処理と前記色補正処理は、前記複数の領域それぞれについて個別に行われる
ことを特徴とする請求項１乃至請求項１３のいずれか１項に記載の表示装置。
【請求項１５】
表示手段と、前記表示手段に光を照射する発光手段と、を備える表示装置の制御方法であって、
入力画像信号に基づいて、前記発光手段の発光輝度を制御する制御ステップと、
前記制御ステップで制御された発光輝度と、所定の発光輝度とを用いて、前記入力画像信号に輝度補正処理を施し、輝度補正画像信号を生成する輝度補正ステップと、
前記輝度補正画像信号に色補正処理を施し、色補正画像信号を生成する色補正ステップ
と、
を有し、
前記色補正ステップでは、前記入力画像信号に基づく画像の前記所定の発光輝度に対応する色である目標色と、前記色補正画像信号に基づく画像の前記制御された発光輝度に対応する色との差として、前記目標色と、前記輝度補正画像信号に基づく画像の前記制御された発光輝度に対応する色との差よりも小さい値が得られるように、前記色補正画像信号を生成する
ことを特徴とする表示装置の制御方法。
【手続補正２】
【補正対象書類名】明細書
【補正対象項目名】発明の名称
【補正方法】変更
【補正の内容】
【発明の名称】表示装置及びその制御方法
【手続補正３】
【補正対象書類名】明細書
【補正対象項目名】０００８
【補正方法】変更
【補正の内容】
【０００８】
本発明の表示装置は、
表示手段と、
前記表示手段に光を照射する発光手段と、
入力画像信号に基づいて、前記発光手段の発光輝度を制御する制御手段と、
前記制御手段で制御された発光輝度と、所定の発光輝度とを用いて、前記入力画像信号に輝度補正処理を施し、輝度補正画像信号を生成する輝度補正手段と、
前記輝度補正画像信号に色補正処理を施し、色補正画像信号を生成する色補正手段と、を備え、
前記色補正手段は、前記入力画像信号に基づく画像の前記所定の発光輝度に対応する色である目標色と、前記色補正画像信号に基づく画像の前記制御された発光輝度に対応する色との差として、前記目標色と、前記輝度補正画像信号に基づく画像の前記制御された発光輝度に対応する色との差よりも小さい値が得られるように、前記色補正画像信号を生成する
ことを特徴とする。
【手続補正４】
【補正対象書類名】明細書
【補正対象項目名】０００９
【補正方法】変更
【補正の内容】
【０００９】
本発明の表示装置の制御方法は、
表示手段と、前記表示手段に光を照射する発光手段と、を備える表示装置の制御方法であって、
入力画像信号に基づいて、前記発光手段の発光輝度を制御する制御ステップと、
前記制御ステップで制御された発光輝度と、所定の発光輝度とを用いて、前記入力画像信号に輝度補正処理を施し、輝度補正画像信号を生成する輝度補正ステップと、
前記輝度補正画像信号に色補正処理を施し、色補正画像信号を生成する色補正ステップと、
を有し、
前記色補正ステップでは、前記入力画像信号に基づく画像の前記所定の発光輝度に対応
する色である目標色と、前記色補正画像信号に基づく画像の前記制御された発光輝度に対応する色との差として、前記目標色と、前記輝度補正画像信号に基づく画像の前記制御された発光輝度に対応する色との差よりも小さい値が得られるように、前記色補正画像信号を生成する
ことを特徴とする。
【手続補正５】
【補正対象書類名】明細書
【補正対象項目名】００３１
【補正方法】変更
【補正の内容】
【００３１】
そして、色補正部５は、式１に示すマトリクスＭ（第２の変換マトリクス）を作成する（Ｓ８）。
【数１】
2013238656.tif 000001
ここで、ＸＲ、ＹＲ、ＺＲは、Ｓ７で取得されたＲサブピクセルのＸ値、Ｙ値、Ｚ値である。ＸＧ、ＹＧ、ＺＧは、Ｓ７で取得されたＧサブピクセルのＸ値、Ｙ値、Ｚ値である。ＸＢ、ＹＢ、ＺＢは、Ｓ７で取得されたＢサブピクセルのＸ値、Ｙ値、Ｚ値である。
即ち、Ｓ５において、記憶部６に記憶されている測定値のうち、輝度補正画像信号の画素値に対応する各原色の測定値が選択される。Ｓ７において、選択した各原色の測定値に、処理対象の分割領域（処理対象の画素に対応する分割領域；処理対象の画素位置を含む分割領域）の発光輝度の変化率が乗算される。そして、Ｓ８において、乗算により得られた各原色の値を成分とする変換マトリクスが作成される。Ｓ８において作成される変換マトリクスは、画素値を、標準の発光輝度でバックライトを点灯させた場合における画面上の色の測定値に変換する変換マトリクスである。